(57)【要約】【課題】回転板の強度を低下させることなく、限られた大きさの回転板に多くの搬送部を設けることができるようにする。  【解決手段】特定搬送部２０を、受け入れた遊技球４０を回転板１６の外周を囲む役物本体１５の外周壁１５３に当接させつつ周回移動させるように外周側が開口した切欠き形状とする。外周壁１５３に、回転板１６の回転に伴って、特定搬送部２０が所定位置に達したとき、特定搬送部２０の開口側に対向し、かつ外周側に凹んだ凹部１５４を設ける。特定搬送部２０が所定位置に達したとき、特定搬送部２０に受け入れられた遊技球４０が凹部１５４に向けて移動することによって、特定入賞口２２に入賞する。    【選択図】  図３
2008086447.tif 000002
【特許請求の範囲】
【請求項１】
遊技球が打ち込まれる遊技領域に、遊技球が進入可能な役物本体と、前記役物本体の底板上でほぼ水平に回転可能な円板状の回転板とを備え、前記回転板に、前記役物本体に進入した遊技球を受け入れて、前記役物本体の底板上に設けた通常入賞口まで周回移動させる複数の通常搬送部及び少なくとも１個の特定搬送部を円周方向にほぼ等間隔で形成し、前記特定搬送部により周回移動させられる遊技球が、前記底板に設けられた特定入賞孔に入賞することによって、遊技者に対して有利な特定遊技状態を付与するようにした弾球遊技機において、
前記特定搬送部を、受け入れた遊技球を前記回転板の外周を囲む前記役物本体の外周壁に当接させつつ周回移動させるように、外周側が開口した切欠き形状とし、
前記外周壁に、前記回転板の回転に伴って、前記特定搬送部が所定位置に達したとき、前記特定搬送部の開口側に対向し、かつ外周側に凹んだ凹部を設け、
前記特定搬送部が前記所定位置に達したとき、前記特定搬送部に受け入れられた遊技球が前記凹部に向けて移動することによって、前記特定入賞口に入賞するようにしたことを特徴とする弾球遊技機。
【請求項２】
前記特定搬送部に、受け入れた遊技球を前記凹部に向けて移動させるようにした傾斜面を有する舌片部を設けたことを特徴とする請求項１記載の弾球遊技機。
【請求項３】
前記特定搬送部は、受け入れた遊技球を周回移動させる際、遊技球を前記通常入賞口に落下しないように、外周壁と舌片部との間に、保持することを特徴とする請求項２記載の弾球遊技機。
【請求項４】
前記特定入賞口を、その内周面の一部が平面視で前記凹部の内側面にほぼ合致するように設けたことを特徴とする請求項１〜３のいずれかに記載の弾球遊技機。
【発明の詳細な説明】
【技術分野】
【０００１】
本発明は、遊技球が打ち込まれる遊技領域に役物装置を備えた弾球遊技機に関する。
【背景技術】
【０００２】
パチンコ機のような弾球遊技機においては、役物装置における役物本体内に、ほぼ水平方向に回転可能で、かつ円周方向に沿って複数の通常搬送部及び１個の特定搬送部を有する円板状の回転板を設けたものが知られている（例えば、特許文献１参照）。この構成によると、所定の条件に基づいて、遊技球が役物本体内に進入すると、通常搬送部または特定搬送部のいずれかに受け止められる。遊技球が特定搬送部に受け止められた場合には、その移動経路の途中に設けられた特定入賞口に遊技球が入賞することによって、遊技者に対して有利な特定遊技状態を付与する。
【特許文献１】特開２００４−１７４２３８号公報
【発明の開示】
【発明が解決しようとする課題】
【０００３】
上述のような弾球遊技機においては、役物本体内に進入した遊技球が特定入賞口に入賞する確率は、回転板に設けた通常搬送部の数と特定搬送部の数とで決まる。したがって、特定入賞口に入賞する確率を変更するため、搬送部の数を多くすると、回転板の外径が搬送部の数に比例して大きくなり、回転板を限られたスペース内に配置することができなくなる。また、互いに隣接する搬送部同士を可能な限り接近させて、搬送部の数を多くすると、通常搬送部に対して半径方向へ偏倚した位置に設けられる特定搬送部とそれに隣接する通常搬送部との間のさん幅が小さくなりすぎて、回転板の強度が低下する問題を有する。
【０００４】
本発明は、上述の従来の問題に鑑みてなされたもので、回転板の強度を低下させることなく、限られた大きさの回転板に多くの搬送部を設けることができるようにした弾球遊技機を提供することを目的とする。
【課題を解決するための手段】
【０００５】
本発明によると、上記課題は、次のようにして解決される。
（１）遊技球が打ち込まれる遊技領域に、遊技球が進入可能な役物本体と、前記役物本体の底板上でほぼ水平に回転可能な円板状の回転板とを備え、前記回転板に、前記役物本体に進入した遊技球を受け入れて、前記役物本体の底板上に設けた通常入賞口まで周回移動させる複数の通常搬送部及び少なくとも１個の特定搬送部を円周方向にほぼ等間隔で形成し、前記特定搬送部により周回移動させられる遊技球が、前記底板に設けられた特定入賞孔に入賞することによって、遊技者に対して有利な特定遊技状態を付与するようにした弾球遊技機において、前記特定搬送部を、受け入れた遊技球を前記回転板の外周を囲む前記役物本体の外周壁に当接させつつ周回移動させるように、外周側が開口した切欠き形状とし、前記外周壁に、前記回転板の回転に伴って、前記特定搬送部が所定位置に達したとき、前記特定搬送部の開口側に対向し、かつ外周側に凹んだ凹部を設け、前記特定搬送部が前記所定位置に達したとき、前記特定搬送部に受け入れられた遊技球が前記凹部に向けて移動することによって、前記特定入賞口に入賞するようにする。
【０００６】
（２）上記(１)項において、前記特定搬送部に、受け入れた遊技球を前記凹部に向けて移動させるようにした傾斜面を有する舌片部を設ける。
【０００７】
（３）上記(２)項において、前記特定搬送部は、受け入れた遊技球を周回移動させる際、遊技球を前記通常入賞口に落下しないように、外周壁と舌片部との間に、保持する。
【０００８】
（４）上記(１)〜(３)項のいずれかにおいて、前記特定入賞口を、その内周面の一部が平面視で前記凹部の内側面にほぼ合致するように設ける。
【発明の効果】
【０００９】
本発明によれば、次のような効果が奏せられる。
請求項１記載の発明によると、互いに隣接する搬送部同士を可能な限り接近するように設けても、特定搬送部とそれに隣接する通常搬送部との間のさん幅を広くすることができる。よって、回転板の強度を低下させることなく、回転板に多くの搬送部を設けることができ、特定入賞口に入賞する確率を変更することができる。
【００１０】
請求項２記載の発明によると、特定搬送部に受け入れられた遊技球を特定入賞口に確実に入賞させることができる。
【００１１】
請求項３記載の発明によると、特定搬送部に受け入れた遊技球を円滑に周回移動させることができる。
【００１２】
請求項４記載の発明によると、特定入賞口の一部を回転板の外周より外側にはみ出るように設けられることができるため、特定搬送部に受け入れられた遊技球を特定入賞口に確実に入賞させることができる。
【発明を実施するための最良の形態】
【００１３】
以下、本発明に係わる一実施形態を図面に基づいて説明する。図１は、本発明を適用した弾球遊技機の正面図、図２は、役物装置の一部を切り欠いた斜視図、図３〜図５は、要部の平面図、図６〜８は、要部の縦断面図である。なお、以下の説明においては、図１において紙面手前を「前方または表面」とし、紙面奥を「後方または裏面」とし、左方を「左方」とし、右方を「右方」とする。
【００１４】
図１に示すように、弾球遊技機をなすパチンコ機１は、外枠２に取り付けられる遊技盤３を備え、外枠２に支持されたガラス枠扉４により覆われる遊技盤３の前面には、外側ガイドレール５と内側ガイドレール６とによって包囲された円形状の遊技領域７が設けられている。
【００１５】
ガラス枠扉４の右下方に設けられた操作ハンドル８を回動操作することにより、ガラス枠扉４の下方に設けられた球供給皿９に貯留されている遊技球４０は、発射装置（図示略）から発射されて、外側ガイドレール５及び内側ガイドレール６により誘導されて遊技領域７に打ち込まれ、遊技領域７に植設された多数の遊技釘に当接しながら流下する。なお、遊技釘は、図面簡素化のため省略してある。
【００１６】
遊技領域７におけるほぼ中央には、役物装置１０が配置されている。役物装置１０の下方には、第１始動入賞口３０及び左右の第２始動入賞口３１がそれぞれ配置されている。さらには、遊技領域７の最下部には、遊技球４０を遊技盤３の裏面側に排出するアウト口３２が設けられている。
【００１７】
図２に示すように、役物装置１０は、左右上部に設けられた大入賞口１１を開閉する左右の可動翼片１２、１２と、左右の大入賞口１１に入った遊技球４０が通過可能な誘導通路１３と、誘導通路１３を通過した遊技球４０が進入可能な入賞室１４を有する皿状の役物本体１５と、役物本体１５の底板１５１（図６〜図８参照）上にほぼ水平方向へ回転可能に支持された円板状の回転板１６と、回転板１６を回転させるモータ３３等を含む。
【００１８】
役物本体１５は、回転板１６の周囲を囲むように設けられ、誘導通路１３を通過した遊技球４０を円周方向へ転動させる円周誘導路１５２と、回転板１６の底面に対向する底板１５１と、回転板１６の外周を囲む外周壁１５３とを有している。円周誘導路１５２の表面は、内側に向けて僅かに下り傾斜している。
【００１９】
役物本体１５の外周壁１５３には、回転板１６の回転に伴って、回転板１６に設けられた後述の特定搬送部２０が所定位置に達したとき、特定搬送部２０の開口側に対向し、かつ外周側に所定量凹んだ凹部１５４が設けられている。
【００２０】
役物本体１５の底板１５１には、回転板１６に設けられた後述の通常搬送部１９により受け入れられた遊技球４０を入賞させる通常入賞口２１と、特定搬送部２０により受け入れられた遊技球４０を入賞させる特定入賞口２２とが設けられている。通常入賞口２１は、通常搬送部１９の移動経路の途中に設けられる。特定入賞口２２は、通常入賞口２１の移動経路の外周側に偏倚しており、その内周面の一部が、図３、４に示すように、平面視で凹部１５４の内側面にほぼ合致するように設けられる。よって、特定入賞口２２の外側は、回転板１６の外周より外側にはみ出るように設けられる（図５〜図７参照）。
【００２１】
回転板１６は、その上面が中央部を凸にした丘陵状をなして、その表面には、円周方向に沿って、上下方向に貫通した複数（本実施形態においては９個）の通常搬送部１９と１個の特定搬送部２０とがほぼ等間隔で形成されている。なお、通常搬送部１９及び特定搬送部２０の数は、本実施形態に特定されるものでなく、必要に応じて変更可能である。
【００２２】
複数の通常搬送部１９は、同一円周上に設けられ、遊技球４０が下方へ通過可能な大きさの円形孔によりそれぞれ形成される。役物本体１５に進入した遊技球４０がいずれかの通常搬送部１９に受け入れられると、遊技球４０は、回転板１６の回転に伴って、役物本体１５の底板１５１上を転動するが、外周壁１５３に当接することなく（図６参照）、周回移動して、所定位置で通常入賞口２１に入賞する（図７参照）。
【００２３】
特定搬送部２０は、役物本体１５の入賞室１４に進入した遊技球４０を受け入れると、回転板１６の回転に伴って、受け入れた遊技球４０を外周壁１５３に当接させるが、役物本体１５の底板１５１に当接させない状態で周回移動させるように（図６参照）、外周側が開口した切欠き状に形成されている。特定搬送部２０に受け入れられた遊技球４０は、役物本体１５の外周壁１５３に設けられた凹部１５４に対向する位置に達すると、その時点で、凹部１５４に向けて移動することによって、回転板１６の外周より外側に変位して特定入賞口２０に入賞する（図７参照）。
【００２４】
特定搬送部２０の内側（回転板１６の中心寄り側）の下部には、受け入れた遊技球４０を外周側に向けて移動させ得るように、上面に外周側へ向けて下り傾斜した傾斜面２０１を有する舌片部２０２が設けられている。舌片部２０２の先端部２０２ａと外周壁１５３との間の隙間Ａ（図６、８参照）は、遊技球４０の直径より小さくなるように設定されている。これにより、特定搬送部２０に受け入れられた遊技球は、外周壁１５３に当接して周回移動しているとき、すなわち、凹部１５４に対向する位置以外にあるとき、特定搬送部２０から落下することがないように、特定搬送部２０により保持される。なお、特定搬送部２０における内側（回転板１６の中心寄り側）の上部開口は、通常搬送部１９と同一円周上になるようにして設けられる。
【００２５】
遊技領域７に打ち込まれた遊技球４０が、第１始動入賞口３０または第２始動入賞口３１に入賞すると、左右の可動翼片１１が１回または２回の開閉動作を行う。左右の可動翼片１１の開閉動作は、センター役物装置１０の裏側に設けられたソレノイド１７、リンク１８等の動作に基づいて行う。可動翼片１１が開いている間に、遊技球４０が大入賞口１１に入球すると、遊技球４０は、誘導通路１３を通過して、役物本体１５の入賞室１４に誘導される。
【００２６】
役物本体１５の入賞室１４に進入した遊技球４０は、その勢いに応じて円周誘導路１５２を所定量転動した後、その勢いが減退すると、内径側、すなわち回転板１６側に向けて転動して、通常搬送部１９または特定搬送部２０のいずれかに受け止められる。
【００２７】
通常搬送部１９に受け入れられた遊技球４０は、通常搬送部１９の移動経路に沿って周回移動させられて、通常入賞口２１の真上に移動すると（図７参照）、通常搬送部１９から落下して通常入賞口２１に入賞する。なお、通常搬送部１９に受け入れられて周回移動する遊技球４０は、特定入賞口２２の真上に対応する位置を移動する際（図４、８参照）、特定入賞口２２の位置が通常搬送部１９の移動経路に対して外周側に偏倚しているため、特定入賞口２２に入賞することはない。
【００２８】
特定搬送部２０に受け入れられた遊技球４０は、外周壁１５３に当接しつつ周回移動させられて（図４、６参照）、特定搬送部２０が凹部１５４に対向する位置に達すると、凹部１５４側、すなわち外周側に変位して、特定入賞口２２に入賞する（図３、７参照）。なお、特定搬送部２０に受け入れられて周回移動する遊技球４０は、通常入賞口２１に真上に対応する位置に達しても（図５、８参照）、上述のように役物本体１５の底板１５１に当接することがないように保持されているため、通常入賞口２１に落下することはなく、円滑に周回移動することができる。
【００２９】
遊技球４０が通常入賞口２１に入賞した場合は、所定数の遊技球を賞球として払い出し、また、特定入賞口２２に入賞した場合は、特定遊技状態となり、所定数の遊技球を賞球として払い出すことに加え、左右の可動翼片１２が複数回開閉動作を繰り返し、その間に再び遊技球４０が特定入賞口２２に入賞すると当該ラウンドを終了して、次のラウンドに移行して、再度、左右の可動翼片１２が複数回開閉動作を繰り返す。継続可能なラウンド数には、上限が設定されている。なお、役物本体１５に進入した遊技球４０が、特定入賞口２２に入賞する確率は、通常搬送部１９の数と特定搬送部２０の数とで決定される。
【００３０】
上述のように、本発明に係わる実施形態においては、特定搬送部２０を、受け入れた遊技球４０を回転板１６の外周を囲む役物本体１５の外周壁１５３に当接させつつ周回移動させるように外周側が開口した切欠き形状とする。外周壁１５３に、回転板１６の回転に伴って、特定搬送部２０が所定位置に達したとき、特定搬送部２０の開口側に対向し、かつ外周側に凹んだ凹部１５４を設けることによって、互いに隣接する通常搬送部１９同士の間隔を可能な限り狭めても、特定搬送部２０とそれに隣接する通常搬送部１９との間のさん幅Ｂを広くすることができる。よって、回転板１６の強度の低下させることなく、回転板１６に多くの通常搬送部１９を設けることができ、特定入賞口２２に入賞する確率を相違させることができる。
【図面の簡単な説明】
【００３１】
【図１】本発明を適用した弾球遊技機の正面図である。
【図２】役物装置の一部を切り欠いた斜視図である。
【図３】特定搬送部が特定入賞口の真上にあるときの要部の平面図である。
【図４】通常搬送部が特定入賞口の真上近傍にあるときの要部の平面図である。
【図５】特定搬送部が通常入賞口の真上近傍にあるときの要部の平面図である。
【図６】要部の縦断面図である。
【図７】要部の縦断面図である。
【図８】要部の縦断面図である。
【符号の説明】
【００３２】
１  パチンコ機（弾球遊技機）
２  外枠
３  遊技盤
４  ガラス枠扉
５  外側ガイドレール
６  内側ガイドレール
７  遊技領域
８  操作ハンドル
９  球供給皿
１０  役物装置
１１  大入賞口
１２  可動翼片
１３  誘導通路
１４  入賞室
１５  役物本体
１６  回転板
１７  ソレノイド
１８  リンク
１９  通常搬送部
２０  特定搬送部
２１  通常入賞口
２２  特定入賞口
３０  第１始動入賞口
３１  第２始動入賞口
３２  アウト口
３３  モータ
４０  遊技球
１５１  底板
１５２  円周誘導路
１５３  外周壁
１５４  凹部
２０１  傾斜面
２０２  舌片部
２０２ａ  先端部
【図１】
2008086447.tif 000003
【図２】
2008086447.tif 000004
【図３】
2008086447.tif 000005
【図４】
2008086447.tif 000006
【図５】
2008086447.tif 000007
【図６】
2008086447.tif 000008
【図７】
2008086447.tif 000009
【図８】
2008086447.tif 000010